(57)【要約】【課題】正面以外の特定の視点からでも見やすいラベルを印刷できる印刷システムを提供する。【解決手段】本発明の印刷システム１は、印刷装置１００と、印刷装置１００と通信可能な外部機器２００と、を備え、外部機器２００が、印刷装置１００によって印刷される印刷媒体Ｍが或る傾き角度θ、Φで設置されるための印刷媒体Ｍの傾き角度θ、Φを計測し、印刷装置１００は、計測された傾き角度θ、Φに応じて、印刷媒体Ｍに印刷されるべきパターンを含む印刷データを修正した修正印刷データに従って、印刷媒体Ｍに印刷を行う。【選択図】図８
2019001052.tif 000002
【特許請求の範囲】
【請求項１】
印刷システムであって、
印刷装置と、
前記印刷装置と通信可能な外部機器と、を備え、
前記外部機器が、前記印刷装置によって印刷される印刷媒体が或る傾き角度で設置されるための前記印刷媒体の前記傾き角度を計測し、
前記印刷装置は、計測された前記傾き角度に応じて、前記印刷媒体に印刷されるべきパターンを含む印刷データを修正した修正印刷データに従って、前記印刷媒体に印刷を行うことを特徴とする印刷システム。
【請求項２】
前記印刷媒体に印刷されるべき前記パターンが複数のサブパターンを含み、且つ鉛直面上での第１回転方向に前記外部機器を傾けた時の前記傾き角度である第１の角度θが０°以外の場合、前記印刷データの修正は、前記サブパターン毎に、前記第１の角度θが０°のときに印刷される前記サブパターンに対して前記第１回転方向と反対の回転方向に前記第１の角度θと同じだけ回転させる修正であることを特徴とする請求項１に記載の印刷システム。
【請求項３】
前記印刷媒体に印刷されるべき前記パターンが複数のサブパターンを含み、且つ水平面上での第２回転方向に前記外部機器を傾けた時の前記傾き角度である第２の角度Φが０°以外の場合、前記印刷データの修正は、前記第２の角度Φが０°のときに印刷される前記印刷データの前記サブパターンの並び方向の幅を拡大縮小する修正であることを特徴とする請求項１又は請求項２に記載の印刷システム。
【請求項４】
前記第２の角度Φに基づく、前記印刷データの修正は、前記印刷媒体を正面に見た基本状態から前記印刷媒体の左右方向の一方の端部を回転軸として前記第２の角度Φ分回転させた設置状態としたときに、前記設置状態の前記印刷媒体の左右方向の第１視認幅が前記基本状態の前記印刷媒体の左右方向の第２視認幅となる前記第１視認幅を求め、前記第１視認幅を前記第２視認幅で割った比率に基づいて、前記拡大縮小が行われることを特徴とする請求項３に記載の印刷システム。
【請求項５】
前記印刷媒体に印刷されるべき前記パターンが複数のサブパターンを含み、且つ水平面上での第２回転方向に前記外部機器を傾けたときの前記傾き角度である第２の角度Φに基づく、前記印刷データの修正は、前記印刷媒体を正面に見た基本状態から前記印刷媒体の左右方向の一方の端部を回転軸として前記第２の角度Φ分回転させた設置状態としたときに、前記基本状態よりも前記設置状態のときに奥側となる前記サブパターンほど拡大し、前側となる前記サブパターンほど縮小する修正であることを特徴とする請求項１又は請求項２に記載の印刷システム。
【請求項６】
印刷装置であって、
前記印刷装置と通信可能な外部機器により、前記印刷装置によって印刷される印刷媒体が或る傾き角度で設置されるための前記印刷媒体の前記傾き角度が計測され、
計測された前記傾き角度に応じて、前記印刷媒体に印刷されるべきパターンを含む印刷データを修正した修正印刷データに従って、前記印刷媒体に印刷を行うことを特徴とする印刷装置。
【請求項７】
或る傾き角度で設置されるための印刷媒体に印刷されるべきパターンを含む印刷データを修正した修正印刷データに従って前記印刷媒体に印刷を行う印刷装置と通信可能な外部機器であって、
前記印刷媒体の前記傾き角度を計測することを特徴とする外部機器。
【発明の詳細な説明】
【技術分野】
【０００１】
本発明は、ラベルの印刷を行う印刷システム、その印刷システムに用いる印刷装置及び外部機器に関するものである。
【背景技術】
【０００２】
従来、長尺な帯状の印刷媒体に対し、任意の文字、記号、図形等（以下、図形文字ともいう。）の印刷を行ってから印刷部分を印刷媒体から切り離すことで、印刷物としてのラベルを作成する印刷装置（ラベルプリンタ）が知られている（例えば、特許文献１参照）。
【０００３】
印刷媒体は、粘着面を有する基材と粘着面を覆う剥離可能な剥離紙とを有し、印刷後に印刷媒体から切り離されたラベルは、剥離紙を剥がして貼着対象物に貼り付けて利用することが想定される。
【先行技術文献】
【特許文献】
【０００４】
【特許文献１】特開２０１１−１９４５７４号公報
【発明の概要】
【発明が解決しようとする課題】
【０００５】
上述した印刷装置で印刷されたラベルは、通常、貼付対象物に対して水平方向又は鉛直方向に沿って貼り付けられるが、水平方向や鉛直方向に沿って貼り付けられない場合がある。
例えば、ＰＯＰ用のラベルのように注目を集めることを目的として貼り付けられるラベルは、鉛直面に斜めに貼付されたり、傾斜面に貼付されることがある。
【０００６】
しかしながら、従来の印刷装置で印刷されたラベルは、視点が正面であることを前提として図形文字等が印刷されているため、正面以外の特定の視点から見ると、図形文字等が変形して見え、ラベルの視認性が低下するという問題があった。
【０００７】
本発明は、このような事情に鑑みなされたものであり、正面以外の特定の視点からでも見やすいラベルを印刷できる印刷システムを提供することを第１の目的とする。
【課題を解決するための手段】
【０００８】
上記目的を達成するために、本発明は、以下の構成により把握される。
本発明の印刷システムは、印刷装置と、前記印刷装置と通信可能な外部機器と、を備え、前記外部機器が、前記印刷装置によって印刷される印刷媒体が或る傾き角度で設置されるための前記印刷媒体の前記傾き角度を計測し、前記印刷装置は、計測された前記傾き角度に応じて、前記印刷媒体に印刷されるべきパターンを含む印刷データを修正した修正印刷データに従って、前記印刷媒体に印刷を行うことを特徴とする。
【発明の効果】
【０００９】
本発明によれば、正面以外の特定の視点からでも見やすいラベルを印刷できる印刷システムを提供することができる。
【図面の簡単な説明】
【００１０】
【図１】本発明の実施形態に係る印刷システムの構成を示すブロック図である。
【図２】本発明の実施形態に係る印刷装置を示す模式図である。
【図３】本発明の実施形態に係る印刷システムの動作を示すフローチャートである。
【図４】実施例１に係るラベルの外部機器を用いた基準角度設定、貼り付け角度設定及び傾き角度θ算出を示す説明図である。
【図５】実施例２に係るラベルの外部機器を用いた基準角度設定、貼り付け角度設定及び傾き角度Φ算出を示す説明図である。
【図６】実施例３に係るラベルの外部機器を用いた基準角度設定、貼り付け角度設定及び傾き角度Φ算出を示す説明図である。
【図７】実施例４に係るラベルの外部機器を用いた基準角度設定、貼り付け角度設定及び傾き角度θ，Φ算出を示す説明図である。
【図８】実施例１に係るラベルの印刷例を示す図であり、（ａ）は貼り付け前のラベルを示す図、（ｂ）は貼り付けたラベルの見え方を示す図である。
【図９】実施例２に係るラベルの印刷例を示す図であり、（ａ）は貼り付け前のラベル（修正なし及び修正あり）を示す図、（ｂ）は貼り付けたラベルの見え方を示す図である。
【図１０】実施例２に係るラベルの印刷データの修正に用いる計算の説明図であり、（ａ）は視点から離れる場合の計算の説明図であり、（ｂ）は視点に近づく場合の計算の説明図である。
【図１１】実施例３に係るラベルの印刷例を示す図であり、（ａ）は貼り付け前のラベル（修正なし及び修正あり）を示す図、（ｂ）は貼り付けたラベルの見え方を示す図である。
【図１２】実施例４に係るラベルの印刷例を示す図であり、（ａ）は貼り付け前のラベルを示す図、（ｂ）は貼り付けたラベルの見え方を示す図である。
【図１３】実施例５に係るラベルの印刷例を示す図であり、（ａ）は貼り付け前のラベルを示す図、（ｂ）は貼り付けたラベルの見え方を示す図である。
【発明を実施するための形態】
【００１１】
以下、本発明を実施するための形態（以下、「実施形態」という）を、添付図面に基づいて詳細に説明する。
なお、実施形態の説明の全体を通して同じ要素には同じ番号を付している。
【００１２】
［印刷システム］
図１は本発明の実施形態に係る印刷システム１の構成を示すブロック図であり、図２は本発明の実施形態に係る印刷装置１００を示す模式図である。
【００１３】
図１に示すように、本発明の実施形態に係る印刷システム１は、印刷装置１００と、印刷装置１００と通信可能な外部機器２００と、を備える。
本実施形態の印刷装置１００は、ラベルＬの印刷を行うラベルプリンタであり、制御部１１０、印刷部１２０、テープ搬送部１３０、カッター部１４０、センサ部１５０、キー入力部１６０、表示部１７０、通信部１８０等の機能部を有している。
【００１４】
また、本実施形態の外部機器２００は、Ｗｉ−Ｆｉ等の無線通信規格に従って印刷装置１００と通信可能なスマートフォン等であり、制御部２１０、センサ部２２０、入力部２３０、表示部２４０、通信部２５０等の機能部を有している。
以下、印刷装置１００及び外部機器２００の各機能部について説明する。
【００１５】
［印刷装置の機能部］
制御部１１０は、印刷装置１００の全体的な動作を制御する機能部であり、ＣＰＵ１１１、ＲＡＭ１１２、記憶部１１３（ＲＯＭ、フラッシュメモリ等を含む）等を含む。
なお、制御部１１０の詳細な動作については、追って述べる。
【００１６】
印刷部１２０は、印刷媒体Ｍにパターン（文字、記号、図形、絵文字等の１つ以上のサブパターンを含むパターン）を印刷する機能部であり、サーマルヘッド１２１を備える。
【００１７】
サーマルヘッド１２１は、インクリボンＲを使用する熱転写方式の印刷部１２０を構成しているが、印刷部１２０の印刷方式は特に限定されず、例えば、感熱紙を使用する感熱方式であってもよい。
【００１８】
テープ搬送部１３０は、長尺な帯状の印刷媒体Ｍを印刷部１２０に向けて搬送する機能部であり、印刷媒体Ｍは、例えば、粘着面を有する基材Ｍａと、粘着面を覆う剥離可能な剥離紙Ｍｂと、を有するテープ部材である。
【００１９】
テープ搬送部１３０では、印刷媒体Ｍに印刷を行う際、印刷媒体ローラ１３１、プラテンローラ１３２、インクリボン巻取ローラ１３３等が所定方向に回転動作される。
【００２０】
カッター部１４０は、印刷媒体Ｍの印刷部分を切断し、ラベルＬとして排出するための機能部である。
本実施形態のカッター部１４０は、印刷媒体Ｍを挟んで対向配置される固定刃１４１及び可動刃１４２を備えており、可動刃１４２の動作に基づいて印刷媒体Ｍを切断する。
【００２１】
センサ部１５０は、印刷装置１００の各種状態を検出するための機能部であり、例えば、印刷媒体Ｍの先端を検出する印刷媒体先端検出センサ１５１等が含まれる。
【００２２】
キー入力部１６０は、印刷媒体Ｍに印刷するパターン（文字、記号、図形、絵文字等を含む１つ以上のサブパターン）の入力や印刷実行指示を行うための機能部であり、例えば、キースイッチやタッチパネルを用いて構成される。
なお、本実施形態では、印刷媒体Ｍに印刷するパターンの入力が外部機器２００側で行われるため、キー入力部１６０は、主に印刷実行指示に用いられる。
【００２３】
表示部１７０は、印刷データ表示、操作手順表示、エラー表示等を行うための機能部であり、例えば、液晶パネルを用いて構成される。
【００２４】
通信部１８０は、外部機器２００と通信するための機能部であり、例えば、Ｗｉ−Ｆｉ等の無線通信規格に従って外部機器２００と通信可能な無線通信モジュールを用いて構成される。
【００２５】
［外部機器の各機能部］
制御部２１０は、外部機器２００の全体的な動作を制御する機能部であり、ＣＰＵ２１１、ＲＡＭ２１２、記憶部２１３（ＲＯＭ、フラッシュメモリ等を含む）等を含む。
【００２６】
記憶部２１３には、印刷装置１００との協働によって後述するラベルＬ（実施例１〜５）を作成するための専用アプリがインストールされており、該専用アプリに基づいて制御部２１０が外部機器２００の動作を制御する。
なお、制御部２１０の詳細な動作については、追って述べる。
【００２７】
センサ部２２０は、外部機器２００の各種状態を検出するための機能部であり、外部機器２００の傾き角度を計測するためのセンサ等が含まれる。
例えば、外部機器２００の傾き角度を計測するためのセンサは３軸加速度センサであり、該３軸加速度センサは、外部機器２００の動きを３軸方向（ＸＹＺ方向）の加速度として検出するセンサデバイスであるが、検出値を積分することで外部機器２００の３軸方向（ＸＹＺ方向）の傾き角度を計測することが可能になる。
【００２８】
入力部２３０は、印刷媒体Ｍに印刷するパターン（文字、記号、図形、絵文字等の１つ以上のサブパターンを含むパターン）の入力操作、基準角度設定操作、貼り付け角度設定操作、データ送信操作等を行うための機能部であり、例えば、タッチパネルを用いて構成される。
【００２９】
表示部２４０は、入力された印刷媒体Ｍに印刷するパターン（文字、記号、図形、絵文字等の１つ以上のサブパターンを含むパターン）の入力画面表示、基準角度設定画面表示、貼り付け角度設定画面表示、データ送信画面表示等を行うための機能部であり、例えば、液晶パネルを用いて構成される。
【００３０】
通信部２５０は、印刷装置１００と通信するための機能部であり、例えば、Ｗｉ−Ｆｉ等の無線通信規格に従って印刷装置１００と通信可能な無線通信モジュールを用いて構成される。
【００３１】
［印刷システムの動作］
図３は本発明の実施形態に係る印刷システム１の動作を示すフローチャートである。
【００３２】
印刷システム１では、外部機器２００が、印刷装置１００によって印刷されるラベルＬを貼り付けるときのラベルＬの傾き角度θ，Φを計測し、印刷装置１００が、計測された傾き角度θ，Φに応じて、印刷用のパターン（文字、記号、図形、絵文字等の１つ以上のサブパターンを含むパターン）を含む入力データを修正し、該修正印刷データに従って印刷媒体Ｍに印刷を行う。
【００３３】
図３を用いて具体的に説明すると、外部機器２００の制御部２１０は、専用アプリの起動に応じて、表示部２４０に入力された印刷媒体Ｍに印刷するパターン（文字、記号、図形、絵文字等の１つ以上のサブパターンを含むパターン）の入力画面を表示させるとともに、入力部２３０による印刷するパターンの入力を受け付け、入力されたパターンを印刷用の入力データ（以下、印刷データという）として記憶する（ステップＳ１１）。
【００３４】
そして、外部機器２００の制御部２１０は、表示部２４０に基準角度設定画面を表示させるとともに、基準角度設定画面に従った操作に応じて、センサ部２２０から外部機器２００の現在の傾き角度を取得し、これを基準角度として設定（記憶）する（ステップＳ１２）。
なお、基準角度設定の具体的な操作方法については、追って述べる。
【００３５】
次に、外部機器２００の制御部２１０は、表示部２４０に貼り付け角度設定画面を表示させるとともに、貼り付け角度設定画面に従った操作に応じて、センサ部２２０から外部機器２００の現在の傾き角度を取得し、これを貼り付け角度として設定（記憶）する（ステップＳ１３）。
なお、貼り付け角度設定の具体的な操作方法については、追って述べる。
【００３６】
そして、外部機器２００の制御部２１０は、ステップＳ１２で設定された基準角度と、ステップＳ１３で設定された貼り付け角度との差分である傾き角度θ，Φを算出する（ステップＳ１４）。
なお、傾き角度θと傾き角度Φの違いについては、追って説明する。
【００３７】
続いて、外部機器２００の制御部２１０は、ステップＳ１１で入力された印刷データと、ステップＳ１４で算出した傾き角度θ，Φを含む角度計測データと、を印刷装置１００に向けて通信部２５０に送信させる（ステップＳ１５）。
【００３８】
一方、印刷装置１００の制御部１１０は、外部機器２００から送信された印刷データ及び角度計測データを通信部１８０に受信させる（ステップＳ２１）。
【００３９】
次に、印刷装置１００の制御部１１０は、受信した印刷データを角度計測データに基づいて修正し、これを修正印刷データとして記憶する（ステップＳ２２）。
なお、修正印刷データの具体的な作成方法については、追って説明する。
【００４０】
そして、印刷装置１００の制御部１１０は、ステップＳ２２で作成した修正印刷データに従って、印刷部１２０等にラベルＬを印刷させる（ステップＳ２３）。
【００４１】
［基準角度設定、貼り付け角度設定及び傾き角度θ，Φ算出の説明］
図４は実施例１に係るラベルＬの外部機器２００を用いた基準角度設定、貼り付け角度設定及び傾き角度θ算出を示す説明図であり、図５は実施例２に係るラベルＬの外部機器２００を用いた基準角度設定、貼り付け角度設定及び傾き角度Φ算出を示す説明図である。
【００４２】
また、図６は実施例３に係るラベルＬの外部機器２００を用いた基準角度設定、貼り付け角度設定及び傾き角度Φ算出を示す説明図であり、図７は実施例４に係るラベルＬの外部機器２００を用いた基準角度設定、貼り付け角度設定及び傾き角度θ，Φ算出を示す説明図である。
【００４３】
基準角度設定（ステップＳ１２）では、正面から見て長方形を有する外部機器２００をラベルＬに見立てる。
具体的には、外部機器２００の長辺をラベルＬの長さ方向（印刷されるパターンのサブパターン（文字、記号、図形、絵文字等）の並び方向）、外部機器２００の短辺をラベルＬの幅方向（印刷されるパターンのサブパターン（文字、記号、図形、絵文字等）の高さ方向）と見立て、例えば、基準となるラベルＬの貼り付け方向が水平方向（左右方向）である場合は、図４、図５及び図７の左側の図に示すように、外部機器２００の正面を鉛直面（ＹＺ平面）上に沿わせるとともに、外部機器２００の長辺を水平方向に沿わせ、外部機器２００の短辺を鉛直方向に沿わせる。
【００４４】
また、基準となるラベルＬの貼り付け方向が鉛直方向（上下方向）である場合は、図６の左側の図に示すように、外部機器２００の正面を鉛直面（ＹＺ平面）上に沿わせるとともに、外部機器２００の長辺を鉛直方向に沿わせ、外部機器２００の短辺を水平方向に沿わせる。
このとき、外部機器２００の正面は、基準角度設定を行うユーザの視線（視界中心線）と直交させる。
【００４５】
そして、このように外部機器２００を正面から見る基準状態に設置したら、外部機器２００に表示される基準角度設定ボタンをタップする。
これにより、外部機器２００の制御部２１０は、センサ部２２０から外部機器２００の現在の３軸方向の傾き角度を取得し、これを基準角度として設定するとともに、該基準角度に基づいて、基準となるラベルＬの貼り付け方向（水平方向又は鉛直方向）を特定する。
なお、この外部機器２００を正面から見る基準状態に設置したときの基準角度が後述する第１の傾き角度θ及び第２の傾き角度Φの０°の状態である。
【００４６】
貼り付け角度設定（ステップＳ１３）では、基準状態に設置された外部機器２００をラベルＬの貼り付け角度に合わせて傾ける。
本実施形態の貼り付け角度設定では、鉛直面（ＹＺ平面）上における第１回転方向（左上げ回転方向又は右上げ回転方向）の角度成分である第１の傾き角度θと、水平面（ＸＹ平面）上における第２回転方向（右端中心の前後回転方向、左端中心の前後回転方向）の角度成分である第２の傾き角度Φと、の設定が可能である。
【００４７】
例えば、図４に示す貼り付け角度設定では、基本状態が水平方向であるラベルＬの第１の傾き角度θを設定し、図５に示す貼り付け角度設定では、基本状態が水平方向であるラベルＬの第２の傾き角度Φを設定し、図６に示す貼り付け角度設定では、基本状態が鉛直方向であるラベルＬの第２の傾き角度Φを設定し、図７に示す貼り付け角度設定では、基本状態が水平方向であるラベルＬの第１の傾き角度θ及び第２の傾き角度Φを設定している。
【００４８】
そして、このように外部機器２００をラベルＬの貼り付け角度に合わせて傾けたら、外部機器２００に表示される貼り付け角度設定ボタンをタップする。
これにより、外部機器２００の制御部２１０は、センサ部２２０から外部機器２００の現在の３軸方向の傾き角度を取得し、これを貼り付け角度として設定する。
【００４９】
なお、ユーザによる外部機器２００の傾き操作には、少なからず誤差が含まれるため、貼り付け角度設定において設定したい傾き角度θ、Φの種類をあらかじめ選択できるようにすることが好ましい。
例えば、図４に示す貼り付け角度設定では、ラベルＬの第１の傾き角度θをあらかじめ選択し、図５及び図６に示す貼り付け角度設定では、ラベルＬの第２の傾き角度Φをあらかじめ選択し、図７に示す貼り付け角度設定では、ラベルＬの第１の傾き角度θ及び第２の傾き角度Φをあらかじめ選択すれば、正確な貼り付け角度設定が可能になる。
【００５０】
また、第２の傾き角度Φの設定に際しては、左右いずれの端部が回転軸となっているかを特定するために、左右いずれの端部を回転軸として外部機器２００を傾けるかをあらかじめ選択できることが好ましい。
【００５１】
傾き角度θ，Φ算出（ステップＳ１４）では、基準角度設定で設定された基準角度と、貼り付け角度設定で設定された貼り付け角度との差分に基づいて、第１の傾き角度θと第２の傾き角度Φを算出する。
【００５２】
例えば、図４に示す傾き角度θ，Φ算出（なお、図４では傾き角度θの算出だけとなる。）では、基準角度の鉛直面（ＹＺ平面）上における角度成分と、貼り付け角度の鉛直面（ＹＺ平面）上における角度成分との差分に基づいて第１の傾き角度θを算出する。
【００５３】
また、図５及び図６に示す傾き角度θ，Φ算出（なお、図５及び図６では傾き角度Φの算出だけとなる）では、基準角度の水平面（ＸＹ平面）上における角度成分と、貼り付け角度の水平面（ＸＹ平面）上における角度成分との差分に基づいて第２の傾き角度Φを算出する。
【００５４】
さらに、図７に示す傾き角度θ，Φ算出では、基準角度の鉛直面（ＹＺ平面）上における角度成分と、貼り付け角度の鉛直面（ＹＺ平面）上における角度成分との差分に基づいて第１の傾き角度θを算出するとともに、基準角度の水平面（ＸＹ平面）上における角度成分と、貼り付け角度の水平面（ＸＹ平面）上における角度成分との差分に基づいて第２の傾き角度Φを算出する。
【００５５】
［修正印刷データ作成方法の説明］
図８は実施例１に係るラベルＬの印刷例を示す図であり、（ａ）は貼り付け前のラベルＬを示す図であり、（ｂ）は貼り付けたラベルＬの見え方を示す図である。
図９は実施例２に係るラベルＬの印刷例を示す図であり、（ａ）は貼り付け前のラベルＬ（修正なし及び修正あり）を示す図であり、（ｂ）は貼り付けたラベルＬの見え方を示す図である。
図１０は実施例２に係るラベルＬの印刷データの修正に用いる計算の説明図であり、図１１は実施例３に係るラベルＬの印刷例を示す図であり、（ａ）は貼り付け前のラベルＬ（修正なし及び修正あり）を示す図であり、（ｂ）は貼り付けたラベルＬの見え方を示す図である。
図１２は実施例４に係るラベルＬの印刷例を示す図であり、（ａ）は貼り付け前のラベルＬを示す図であり、（ｂ）は貼り付けたラベルＬの見え方を示す図である。
図１３は実施例５に係るラベルＬの印刷例を示す図であり、（ａ）は貼り付け前のラベルＬを示す図あり、（ｂ）は貼り付けたラベルＬの見え方を示す図である。
【００５６】
修正印刷データ作成（ステップＳ２２）では、ラベルＬの傾き角度θ、Φ、基本となるラベルＬの貼り付け方向、視点からラベルＬまでの距離Ｖ（固定値又はユーザ設定値）等に基づいて、印刷データの修正を行う。
以下、各実施例１〜５に沿って印刷データの詳細な修正方法を説明する。
【００５７】
［実施例１］
図８に示す実施例１に係るラベルＬは、外部機器２００で入力された印刷データを、図４に示す基本角度設定、貼り付け角度設定及び傾き角度θ算出で特定された第１の傾き角度θに基づいて修正することにより印刷される。
【００５８】
具体的に説明すると、鉛直面（ＹＺ平面）上での角度成分である第１の傾き角度θに基づく印刷データの修正は、印刷されるパターンのサブパターン（文字、記号、図形、絵文字等）を、基準角度に対する貼り付け角度の回転方向と反対の方向に第１の傾き角度θと同じだけ回転させる修正である。
なお、各サブパターンを回転させると、サブパターン間の間隔が狭くなる可能性があるため、図８（ａ）の一点鎖線で示すように、回転させた状態で適切なサブパターン間の間隔が得られるように調整を行わせるようにするのが好ましい。
このような印刷データの修正によれば、ラベルＬを鉛直面（ＹＺ平面）上で傾けて貼り付けても、各サブパターン（文字、記号、図形、絵文字等）が鉛直方向を向くため、印刷されたパターン（文字、記号、図形、絵文字等の１つ以上のサブパターンを含むパターン）を見やすいものとできる。
【００５９】
［実施例２］
図９に示す実施例２に係るラベルＬは、外部機器２００で入力された印刷データを、図５に示す基本角度設定、貼り付け角度設定及び傾き角度Φ算出で特定された第２の傾き角度Φに基づいて修正することにより印刷される。
【００６０】
具体的に説明すると、水平面（ＸＹ平面）上での角度成分である第２の傾き角度Φに基づく、印刷データの修正は、印刷されるパターンのサブパターン（文字、記号、図形、絵文字等）の並び方向の幅を、傾き角度Φ等に基づいて拡大縮小する修正である。
【００６１】
図９に示す実施例２では、左右方向に沿って貼り付けられるラベルＬを水平面（ＸＹ平面）上で傾けて貼り付けるため、印刷データの修正なしでは、サブパターン（文字、記号、図形、絵文字等）の並び方向の幅が狭く見える可能性があるが、本実施例による印刷データの修正によれば、印刷されるパターンのサブパターン（文字、記号、図形、絵文字等）の並び方向の幅が傾き角度Φ等に基づいて拡大されるので、ラベルＬを水平面（ＸＹ平面）上で傾けて貼り付けても、サブパターン（文字、記号、図形、絵文字等）の並び方向の幅が狭く見えることを防止し、印刷されたパターンを見やすいものとできる。
【００６２】
図１０を参照しながら説明すると、第２の傾き角度Φに基づく、印刷データの修正は、ラベルＬを正面に見た基本状態からラベルＬの左右方向の一方の端部を回転軸として第２の傾き角度Φ分だけ前後方向に回転させた設置状態としたときに、設置状態のラベルＬの左右方向の第１視認幅（ラベル長ｆ参照）が基本状態のラベルＬの左右方向の第２視認幅（ラベル長ｅ参照）となる第１視認幅を求め、第１視認幅を第２視認幅で割った比率（ｆ／ｅ）に基づいて、印刷されるパターンのサブパターンの並び方向の幅を拡大縮小する修正である。
図９に示す実施例２では、図１０（ａ）に示すように、視点から離れる方向に第２の傾き角度Φだけ傾いた場合であり、この場合、上記の比率（ｆ／ｅ）に基づいて、印刷されるパターンのサブパターン（文字、記号、図形、絵文字等）の並び方向の幅を拡大するように印刷データの修正を行う。
【００６３】
具体的には、あらかじめ想定している視点からラベルＬまでの距離Ｖと、基本状態におけるラベルＬの長さｅと、をユーザが入力し、先に説明したようにして求められたラベルＬの第２の傾き角度Φを用いて、図１０（ａ）に示す式に基づいて、拡大後のラベル長ｆを算出し、比率（ｆ／ｅ）を求めることができる。
【００６４】
例えば、距離Ｖが３０００ｍｍ、元のラベル長ｅが１００ｍｍ、第２の傾き角度Φが４５°である場合、角度Ａが約８９°、角度Ｂが約９１°、角度Ｃが約４４°、高さｈが約７１ｍｍ、拡大後のラベル長ｆが約１４４ｍｍとなり、印刷されるパターンのサブパターン（文字、記号、図形、絵文字等）の並び方向の幅の拡大率は、約１４４％となる。
【００６５】
なお、印刷されるパターンのサブパターン（文字、記号、図形、絵文字等）の並び方向の幅の拡大縮小に合わせて、実際に印刷するラベルＬの長さも調節が行われる。
つまり、元のラベル長ｅが１００ｍｍでサブパターン（文字、記号、図形、絵文字等）の並び方向の幅の拡大率が約１４４％である場合、実際に印刷を行うラベルＬのラベル長は上記計算によって求められた拡大後のラベル長ｆ（約１４４ｍｍ）とされる。
【００６６】
一方、上記と同様のため詳細な説明は省略するが、図１０（ｂ）に示すように、視点に近づく方向に第２の傾き角度Φだけ傾いた場合には、図１０（ｂ）に示す式に基づいて、上記と同様に傾けたときのラベル長ｆを算出し、上記の比率（ｆ／ｅ）に基づいて、印刷されるパターンのサブパターンの並び方向の幅を拡大縮小するように印刷データを修正すればよい。
【００６７】
［実施例３］
図１１に示す実施例３に係るラベルＬは、外部機器２００で入力された印刷データを、図６に示す基本角度設定、貼り付け角度設定及び傾き角度Φ算出で特定された第２の傾き角度Φに基づいて修正することにより印刷される。
【００６８】
具体的に説明すると、図１１に示す実施例３では、上下方向に沿って貼り付けられるラベルＬを水平面（ＸＹ平面）上で傾けて貼り付けるため、印刷データの修正なしでは、印刷されるパターンのサブパターン（文字、記号、図形、絵文字等）の高さ方向（並び方向と直交する方向）の幅が狭く見える可能性があるが、本実施例による印刷データの修正によれば、サブパターン（文字、記号、図形、絵文字等）の並び方向の幅が傾き角度Φ等に基づいて縮小されるので、ラベルＬを水平面（ＸＹ平面）上で傾けて貼り付けても、印刷されたパターン（文字、記号、図形、絵文字等の１つ以上のサブパターンを含むパターン）の縦横比が崩れて見えることを防止し、印刷されたパターンを見やすいものとできる。
【００６９】
なお、実施例３で適用される縮小比率は、図１０の式に基づいて算出される比率の逆数である。
また、本実施例では、ラベルＬの幅に限度があるため、第２の傾き角度Φに基づいて、サブパターン（文字、記号、図形、絵文字等）の並び方向の幅を縮小しているが、ラベルＬの幅に余裕がある場合は、第２の傾き角度Φに基づいて、サブパターン（文字、記号、図形、絵文字等）の高さ方向の幅を拡大してもよい。
【００７０】
［実施例４］
図１２に示す実施例４に係るラベルＬは、外部機器２００で入力された印刷データを、図７に示す基本角度設定、貼り付け角度設定及び傾き角度θ、Φ算出で特定された第１の傾き角度θ及び第２の傾き角度Φに基づいて修正することにより印刷される。
なお、実施例４に係る印刷データの修正は、実施例１で説明した第１の傾き角度θに基づく修正を行った後、実施例２で説明した第２の傾き角度Φに基づく修正を行うだけであるから詳細な説明は省略する。
【００７１】
［実施例５］
図１３に示す実施例５に係るラベルＬは、外部機器２００で入力された印刷データを、図５に示す基本角度設定、貼り付け角度設定及び傾き角度Φ算出で特定された第２の傾き角度Φに基づいて修正することにより印刷される。
【００７２】
具体的に説明すると、図１３に示す実施例５では、左右方向に沿って貼り付けられるラベルＬを水平面（ＸＹ平面）上で傾けて貼り付けるため、印刷データの修正なしでは、印刷されるパターンのサブパターン（文字、記号、図形、絵文字等）の並び方向の手前側のサブパターン（文字、記号、図形、絵文字等）が大きく見え、奥側のサブパターン（文字、記号、図形、絵文字等）が小さく見える可能性がある。
【００７３】
そこで、本実施例による印刷データの修正では、ラベルＬを正面に見た基本状態からラベルＬの左右方向の一方の端部を回転軸として第２の傾き角度Φ分だけ前後方向に回転させた設置状態としたときに、基本状態よりも設置状態のときに奥側となるサブパターン（文字、記号、図形、絵文字等）ほど拡大し、前側となるサブパターン（文字、記号、図形、絵文字等）ほど縮小する修正を行ったものである。
【００７４】
このようにすれば、各サブパターン（文字、記号、図形、絵文字等）のサイズが不均一に見えることを防止し、印刷されたパターン（文字、記号、図形、絵文字等の１つ以上のサブパターンを含むパターン）を見やすいものとできる。
なお、サブパターンの拡大縮小率は、第２の傾き角度Φとサブパターンの並び方向の距離に基づいて算出することができる。
【００７５】
以上のように、本実施形態の印刷システム１によれば、実際にラベルＬを貼り付けるときの傾き角度の鉛直面上での第１回転方向の角度成分である第１の角度θ及び水平面上での第２回転方向の角度成分である第２の角度Φに基づいて、印刷データを修正し、その修正印刷データに従って、ラベルＬに印刷が行われるため、ラベルＬを貼り付けた状態で印刷されるパターン（文字、記号、図形、絵文字等の１つ以上のサブパターンを含むパターン）が見やすいものとなる。
【００７６】
以上、具体的な実施形態に基づいて本発明の印刷システムについて説明してきたが、本発明は、上記の具体的な実施形態に限定されるものではなく、様々な変形や改良を加えたものも本発明の技術的範囲に含まれるものであり、そのことは当業者にとって特許請求の範囲の記載から明らかである。
【００７７】
例えば、上記実施形態では、印刷装置１００が傾き角度θ、Φの情報を受信して、受信した傾き角度θ、Φの情報に基づき、印刷装置１００が修正印刷データを作成し、印刷を行う場合について説明したが、外部機器２００が、傾き角度θ、Φに基づいて修正印刷データを作成し、印刷装置１００が、修正印刷データを受信して印刷を行うようにしてもよい。
【００７８】
以下に、この出願の願書に最初に添付した特許請求の範囲に記載した発明を付記する。付記に記載した請求項の項番は、この出願の願書に最初に添付した特許請求の範囲のとおりである。
＜請求項１＞
印刷システムであって、
印刷装置と、
前記印刷装置と通信可能な外部機器と、を備え、
前記外部機器が、前記印刷装置によって印刷される印刷媒体が或る傾き角度で設置されるための前記印刷媒体の前記傾き角度を計測し、
前記印刷装置は、計測された前記傾き角度に応じて、前記印刷媒体に印刷されるべきパターンを含む印刷データを修正した修正印刷データに従って、前記印刷媒体に印刷を行うことを特徴とする印刷システム。
＜請求項２＞
前記印刷媒体に印刷されるべき前記パターンが複数のサブパターンを含み、且つ鉛直面上での第１回転方向に前記外部機器を傾けた時の前記傾き角度である第１の角度θが０°以外の場合、前記印刷データの修正は、前記サブパターン毎に、前記第１の角度θが０°のときに印刷される前記サブパターンに対して前記第１回転方向と反対の回転方向に前記第１の角度θと同じだけ回転させる修正であることを特徴とする請求項１に記載の印刷システム。
＜請求項３＞
前記印刷媒体に印刷されるべき前記パターンが複数のサブパターンを含み、且つ水平面上での第２回転方向に前記外部機器を傾けた時の前記傾き角度である第２の角度Φが０°以外の場合、前記印刷データの修正は、前記第２の角度Φが０°のときに印刷される前記印刷データの前記サブパターンの並び方向の幅を拡大縮小する修正であることを特徴とする請求項１又は請求項２に記載の印刷システム。
＜請求項４＞
前記第２の角度Φに基づく、前記印刷データの修正は、前記印刷媒体を正面に見た基本状態から前記印刷媒体の左右方向の一方の端部を回転軸として前記第２の角度Φ分回転させた設置状態としたときに、前記設置状態の前記印刷媒体の左右方向の第１視認幅が前記基本状態の前記印刷媒体の左右方向の第２視認幅となる前記第１視認幅を求め、前記第１視認幅を前記第２視認幅で割った比率に基づいて、前記拡大縮小が行われることを特徴とする請求項３に記載の印刷システム。
＜請求項５＞
前記印刷媒体に印刷されるべき前記パターンが複数のサブパターンを含み、且つ水平面上での第２回転方向に前記外部機器を傾けたときの前記傾き角度である第２の角度Φに基づく、前記印刷データの修正は、前記印刷媒体を正面に見た基本状態から前記印刷媒体の左右方向の一方の端部を回転軸として前記第２の角度Φ分回転させた設置状態としたときに、前記基本状態よりも前記設置状態のときに奥側となる前記サブパターンほど拡大し、前側となる前記サブパターンほど縮小する修正であることを特徴とする請求項１又は請求項２に記載の印刷システム。
＜請求項６＞
印刷装置であって、
前記印刷装置と通信可能な外部機器により、前記印刷装置によって印刷される印刷媒体が或る傾き角度で設置されるための前記印刷媒体の前記傾き角度が計測され、
計測された前記傾き角度に応じて、前記印刷媒体に印刷されるべきパターンを含む印刷データを修正した修正印刷データに従って、前記印刷媒体に印刷を行うことを特徴とする印刷装置。
＜請求項７＞
或る傾き角度で設置されるための印刷媒体に印刷されるべきパターンを含む印刷データを修正した修正印刷データに従って前記印刷媒体に印刷を行う印刷装置と通信可能な外部機器であって、
前記印刷媒体の前記傾き角度を計測することを特徴とする外部機器。
【符号の説明】
【００７９】
１  印刷システム
１００  印刷装置
１１０  制御部
１１１  ＣＰＵ
１１２  ＲＡＭ
１１３  記憶部
１２０  印刷部
１２１  サーマルヘッド
１３０  テープ搬送部
１３１  印刷媒体ローラ
１３２  プラテンローラ
１３３  インクリボン巻取ローラ
１４０  カッター部
１４１  固定刃
１４２  可動刃
１５０  センサ部
１５１  印刷媒体先端検出センサ
１６０  キー入力部
１７０  表示部
１８０  通信部
２００  外部機器
２１０  制御部
２１１  ＣＰＵ
２１２  ＲＡＭ
２１３  記憶部
２２０  センサ部
２３０  入力部
２４０  表示部
２５０  通信部
Ｌ  ラベル
Ｍ  印刷媒体
Ｍａ  基材
Ｍｂ  剥離紙
Ｒ  インクリボン
θ  第１の傾き角度
Φ  第２の傾き角度
【図１】
2019001052.tif 000003
【図２】
2019001052.tif 000004
【図３】
2019001052.tif 000005
【図４】
2019001052.tif 000006
【図５】
2019001052.tif 000007
【図６】
2019001052.tif 000008
【図７】
2019001052.tif 000009
【図８】
2019001052.tif 000010
【図９】
2019001052.tif 000011
【図１０】
2019001052.tif 000012
【図１１】
2019001052.tif 000013
【図１２】
2019001052.tif 000014
【図１３】
2019001052.tif 000015